(57)【要約】【課題】乾燥される洗濯物に生じるしわを低減し得る洗濯乾燥機を提供する。【解決手段】全自動洗濯乾燥機は、筐体内に弾性的に支持された外槽２０と、外槽２０内に回転可能に配置され、洗濯物が収容される洗濯脱水槽２４と、洗濯脱水槽２４内の洗濯物を乾燥させるための乾燥装置５０と、洗濯脱水槽２４の底部に回転可能に配置され、洗濯物を上方に押し上げるための傾斜面１１２を有するパルセータ２６と、を備える。乾燥装置５０は、加熱器と、送風機と、加熱器および送風機の動作により発生した温風を、上方から洗濯脱水槽２４の底部に向けて吹き出すノズル２３０と、を含む。ノズル２３０は、洗濯脱水槽２４の内壁面２４ａ寄りに配置され、その吹出口２３１が、斜め下方向であって洗濯脱水槽２４を上方から見たときにパルセータ２６の中心Ｐに向かない方向に開口する。【選択図】図６
2018068626.tif 000002
【特許請求の範囲】
【請求項１】
筐体内に弾性的に支持された外槽と、
前記外槽内に回転可能に配置され、洗濯物が収容される洗濯脱水槽と、
前記洗濯脱水槽内の洗濯物を乾燥させるための乾燥装置と、
前記洗濯脱水槽の底部に回転可能に配置され、洗濯物を上方に押し上げるための傾斜面を有するパルセータと、を備え、
前記乾燥装置は、加熱器と、送風機と、前記加熱器および前記送風機の動作により発生した温風を、上方から前記洗濯脱水槽の底部に向けて吹き出すノズルと、を含み、
前記ノズルは、前記洗濯脱水槽の内壁面寄りに配置され、その吹出口が、斜め下方向であって前記洗濯脱水槽を上方から見たときに前記パルセータの中心に向かない方向に開口する、
ことを特徴とする洗濯乾燥機。
【請求項２】
請求項１に記載の洗濯乾燥機において、
前記吹出口の向く先が、前記パルセータの中心から半分よりも外周側の領域である、
ことを特徴とする洗濯乾燥機。
【請求項３】
請求項１また２に記載の洗濯乾燥機において、
前記ノズルを、その軸線方向まわりに回動させる回動機構部を、さらに備え、
前記パルセータは、前記乾燥装置による乾燥時に正転方向と逆転方向とに回転し、
前記回動機構部は、
前記パルセータが正転方向に回転するとき、前記吹出口が逆転方向側に向くような第１の回動位置に前記ノズルを位置させ、
前記パルセータが逆転方向に回転するとき、前記吹出口が正転方向側に向くような第２の回動位置に前記ノズルを位置させる、
ことを特徴とする洗濯乾燥機。
【発明の詳細な説明】
【技術分野】
【０００１】
本発明は、洗濯乾燥機に関する。
【背景技術】
【０００２】
従来、洗濯脱水槽の底部に配置したパルセータにより洗濯脱水槽内に水流を発生させて衣類の洗濯を行う、いわゆる渦巻き式の洗濯機（全自動洗濯機）に、衣類の乾燥機能を搭載した洗濯乾燥機が知られている。このような洗濯乾燥機の一例が、たとえば、特許文献１に記載されている。
【０００３】
特許文献１の洗濯乾燥機では、洗濯物投入口を有する上面板に、洗濯脱水槽内に高温の空気を供給するための温風供給ユニットが配置される。洗濯槽脱水槽が配置される外槽は、上面の開口が内蓋を有する外槽カバーで覆われる。温風供給ユニットで生成された温風は、外槽カバーに接続された温風ダクトと通じて外槽の上方から洗濯脱水槽内へと吹き出される。洗濯脱水槽では、洗濯物がパルセータにより撹拌される。
【先行技術文献】
【特許文献】
【０００４】
【特許文献１】特開２００７−０５４３６８号公報
【発明の概要】
【発明が解決しようとする課題】
【０００５】
上記洗濯乾燥機では、洗濯物がパルセータにより撹拌される構成であるため、洗濯物がどうしてもダイナミックに動きにくい。よって、洗濯物が縮まったまま乾燥されやすく、乾燥される洗濯物にしわが発生しやすくなることが懸念される。
【０００６】
本発明は、かかる課題に鑑みてなされたものであり、乾燥される洗濯物に生じるしわを低減し得る洗濯乾燥機を提供することを目的とする。
【課題を解決するための手段】
【０００７】
本発明の主たる態様に係る洗濯乾燥機は、筐体内に弾性的に支持された外槽と、前記外槽内に回転可能に配置され、洗濯物が収容される洗濯脱水槽と、前記洗濯脱水槽内の洗濯物を乾燥させるための乾燥装置と、前記洗濯脱水槽の底部に回転可能に配置され、洗濯物を上方に押し上げるための傾斜面を有するパルセータと、を備える。ここで、前記乾燥装置は、加熱器と、送風機と、前記加熱器および前記送風機の動作により発生した温風を、上方から前記洗濯脱水槽の底部に向けて吹き出すノズルと、を含む。前記ノズルは、前記洗濯脱水槽の内壁面寄りに配置され、その吹出口が、斜め下方向であって前記洗濯脱水槽を上方から見たときに前記パルセータの中心に向かない方向に開口する。
【０００８】
上記の構成によれば、パルセータが回転したときに傾斜面の作用によって洗濯物が上方に跳ね上げられ、跳ね上げられた洗濯物にノズルから温風が吹き付けられるので、洗濯脱水槽内で洗濯物が拡がりやすく、乾燥時に洗濯物にしわが発生しにくくなる。
【０００９】
本態様に係る洗濯乾燥機において、前記吹出口の向く先が、前記パルセータの中心から半分よりも外周側の領域であるような構成が採られ得る。
【００１０】
上記の構成によれば、パルセータが回転したときの遠心力でパルセータの外周側に集まり外周側で跳ね上げられた洗濯物に吹出口からの温風が当たりやすい。これにより、洗濯物のしわの発生がより低減されやすい。
【００１１】
本態様に係る洗濯乾燥機において、前記ノズルを、その軸線方向まわりに回動させる回動機構部を、さらに備えるような構成が採られ得る。この場合、前記パルセータは、前記乾燥装置による乾燥時に正転方向と逆転方向とに回転し、前記回動機構部は、前記パルセータが正転方向に回転するとき、前記吹出口が逆転方向側に向くような第１の回動位置に前記ノズルを位置させ、前記パルセータが逆転方向に回転するとき、前記吹出口が正転方向側に向くような第２の回動位置に前記ノズルを位置させる。
【００１２】
上記の構成によれば、パルセータが正転方向および逆転方向のどちらの方向に回転したときにも、パルセータで跳ね上げられた洗濯物に良好に吹出口からの温風を当てることができる。よって、洗濯物のしわ伸ばし効果が高まりやすい。
【発明の効果】
【００１３】
本発明によれば、乾燥される洗濯物に生じるしわを低減し得る洗濯乾燥機を提供することができる。
【００１４】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１５】
【図１】図１は、実施の形態に係る、全自動洗濯乾燥機の側面断面図である。
【図２】図２は、実施の形態に係る、パルセータの斜視図である。
【図３】図３は、実施の形態に係る、上面板の収容部に乾燥装置が設置された状態を示す上面板、外槽カバーおよび乾燥装置の斜視図である。
【図４】図４（ａ）は、実施の形態に係る、上ケーシングが除かれた状態の乾燥装置の斜視図であり、図４（ｂ）は、実施の形態に係る、上ケーシングと送風機とが除かれた状態の乾燥装置の斜視図である。
【図５】図５（ａ）および（ｂ）は、それぞれ、実施の形態に係る、ノズルの斜視図および側面図である。
【図６】図６は、実施の形態に係る、洗濯脱水槽を上方から見たときのノズルの吹出口の方向について説明するため図である。
【図７】図７（ａ）および（ｂ）は、実施の形態に係る、乾燥工程における洗濯脱水槽内での洗濯物の動きを模式的に示す図である。
【図８】図８（ａ）および（ｂ）は、それぞれ、変更例１に係る、ノズルの斜視図および側面図である。
【図９】図９は、変更例２に係る、ノズルと回動機構部の斜視図である。
【図１０】図１０（ａ）および（ｂ）は、変更例２に係る、パルセータの回転方向に応じてノズルの向きが変えられる様子を示す図である。
【図１１】図１１は、変更例３に係る、パルセータの斜視図である。
【発明を実施するための形態】
【００１６】
以下、本発明の洗濯乾燥機の一実施形態である全自動洗濯乾燥機１について、図面を参照して説明する。
【００１７】
図１は、本実施の形態に係る、全自動洗濯乾燥機１の側面断面図である。
【００１８】
全自動洗濯乾燥機１は、外観を構成する筐体１０を備える。筐体１０は、上下の面が開放された方形筒状の胴体部１１と、胴体部１１の上面を覆う上面板１２と、胴体部１１を支持する脚台１３とを含む。上面板１２には、洗濯物を投入するための投入口１４が形成される。投入口１４は、開閉自在な上蓋１５により覆われる。
【００１９】
筐体１０内には、外槽２０が、防振装置を有する４本の吊棒２１により弾性的に吊り下げ支持される。外槽２０の上面は、外槽カバー２２により覆われる。外槽カバー２２には、投入口１４に対応する位置に、投入口１４とほぼ同じ大きさの開口部２２ａが形成される。開口部２２ａは、内蓋２３により開閉可能に覆われる。
【００２０】
外槽２０内には、上面が開放されたほぼ円筒状の洗濯脱水槽２４が配される。洗濯脱水槽２４の内壁面２４ａには、全周に亘って多数の脱水孔２４ｂが形成される。洗濯脱水槽２４の上部には、バランスリング２５が設けられる。洗濯脱水槽２４の底部には、パルセータ２６が配される。
【００２１】
外槽２０の外底部には、洗濯脱水槽２４およびパルセータ２６を駆動するトルクを発生させる駆動ユニット３０が配される。駆動ユニット３０は、駆動モータ３１と、伝達機構部３２とを含む。伝達機構部３２は、クラッチ機構を有し、当該クラッチ機構による切替操作により、洗い工程およびすすぎ工程では、駆動モータ３１のトルクをパルセータ２６のみに伝達してパルセータ２６のみを回転させ、脱水工程では、駆動モータ３１のトルクをパルセータ２６および洗濯脱水槽２４に伝達してパルセータ２６および洗濯脱水槽２４を一体的に回転させる。
【００２２】
外槽２０の外底部には、排水口部２０ａが形成される。排水口部２０ａには、排水バルブ４０が設けられる。排水バルブ４０は、排水ホース４１に接続される。排水バルブ４０が開放されると、洗濯脱水槽２４および外槽２０に溜められた水が排水ホース４１を通じて機外へ排出される。
【００２３】
上面板１２の後部には、上面が開口する収容部１２ａが設けられる。収容部１２ａの上面は、後カバー１６により覆われる。収容部１２ａ内には、洗濯脱水槽２４内の洗濯物を乾燥させるための乾燥装置５０と外槽２０内への給水を行うための給水装置（図示せず）が収容される。
【００２４】
次に、パルセータ２６の構成について詳細に説明する。
【００２５】
図２は、本実施の形態に係る、パルセータ２６の斜視図である。
【００２６】
パルセータ２６は、ほぼ円盤状のベース１００と、ベース１００の表面に１８０度の間隔を置いて形成された２枚の羽根部１１０と、ベース１００の外周縁に形成された２つの壁部１２０とを含む。ベース１００は、その表面が中心部１０１に向かって緩やかに上り傾斜する。
【００２７】
各羽根部１１０は、ベース１００の中心部１０１から外周縁に亘って放射状に延びる。各羽根部１１０には、直線的に水平方向に延びる頂上部１１１の両側に、洗濯物を上方に押し上げるための平坦な傾斜面１１２が形成される。パルセータ２６の回転軸方向Ｘに垂直な面に対する傾斜面１１２の傾斜角度αは、たとえば４５度とされる。傾斜角度αが小さすぎると、乾燥装置５０による乾燥時にパルセータ２６が回転したとき、傾斜面１１２を上った洗濯物を高く上げられなくなる。反対に、傾斜角度αが大きすぎると、パルセータ２６が回転したとき、洗濯物が傾斜面１１２を上りにくくなる。よって、傾斜角度αは、３０度から６０度の範囲に設定されるとよい。
【００２８】
ベース１００および羽根部１１０の表面には、多数の通水孔１３０が形成される。通水孔１３０は、パルセータ２６の裏側に水を通す。
【００２９】
壁部１２０は、ベース１００の外周縁に沿うように円弧状に形成される。壁部１２０は、パルセータ２６の回転時、ベース１００の表面に載った洗濯物が、遠心力で洗濯脱水槽２４の内壁面２４ａ側に移動しようとしたとき、その洗濯物を止めて羽根部１１０の傾斜面１１２に向かわせるようにする。これにより、洗濯物が傾斜面１１２によって良好に跳ね上げられる。
【００３０】
次に、乾燥装置５０の構成にいて詳細に説明する。
【００３１】
図３は、本実施の形態に係る、上面板１２の収容部１２ａに乾燥装置５０が設置された状態を示す上面板１２、外槽カバー２２および乾燥装置５０の斜視図である。図４（ａ）は、本実施の形態に係る、上ケーシング２０３が除かれた状態の乾燥装置５０の斜視図であり、図４（ｂ）は、本実施の形態に係る、上ケーシング２０３と送風機２０４とが除かれた状態の乾燥装置５０の斜視図である。図５（ａ）および（ｂ）は、それぞれ、本実施の形態に係る、ノズル２３０の斜視図および側面図である。図６は、本実施の形態に係る、洗濯脱水槽２４を上方から見たときのノズル２３０の吹出口２３１の方向について説明するため図である。なお、図３では、便宜上、上面板１２が透明な状態に描かれている。また、図３、図４（ａ）、（ｂ）では、便宜上、ノズル２３０が、実際よりも上面板１２の正面方向を向くように描かれている。
【００３２】
乾燥装置５０は、温風発生ユニット２００と、吸気ダクト２１０と、排気ダクト２２０と、ノズル２３０とを含む。
【００３３】
温風発生ユニット２００は、ケーシング２０１を備える。ケーシング２０１は、上面が開口する下ケーシング２０２と、下面が開口する上ケーシング２０３とを結合することにより形成される。下ケーシング２０２には、吸込口２０２ａと吐出口２０２ｂとが形成される。
【００３４】
ケーシング２０１に、送風機２０４と、加熱器２０５とが備えられる。送風機２０４は、高風量・高静圧タイプの遠心ファンであり、ファン２０４ａと、ファン２０４ａを回転させるためのファンモータ２０４ｂとを含む。ファン２０４ａは、ケーシング２０１内に吸込口２０２ａと対面するように配置され、ファンモータ２０４ｂは、ケーシング２０１の外天面に配置される。送風機２０４の最大風量は、たとえば、３ｍ３／ｍｉｎ程度とされ、最大静圧は、たとえば、１１ｋＰａ程度とされる。加熱器２０５は、たとえば、ＰＴＣヒータであり、その内部を通過する風を加熱する。加熱器２０５は、ケーシング２０１の内部において、送風機２０４と吐出口２０２ｂとの間に配置される。
【００３５】
吸気ダクト２１０は、水平方向に延び、一端側の上面に排気口２１１を有し、他端側の下面に吸気口２１２を有する。排気口２１１は、ケーシング２０１の吸込口２０２ａに接続される。
【００３６】
排気ダクト２２０は、フレキシブルなダクトであり、ゴム等の弾性材料で形成され、中間部分に蛇腹部２２１を有する。排気ダクト２２０の上端部２２２は、ケーシング２０１の吐出口２０２ｂに接続される。図３に示すように、外槽カバー２２には、開口部２２ａの後方に導入口２２ｂが形成され、排気ダクト２２０の下端部２２３が吸導入口２２ｂに接続される。
【００３７】
ノズル２３０は、上部２３０ａが円筒形状であり、下部２３０ｂが先細りの形状を有して下斜め方向に延びる。ノズル２３０の下部２３０ｂの先端に、円形の吹出口２３１が形成される。本実施の形態では、ノズル２３０の軸線方向Ｌに対して吹出口２３０の開口方向Ｄがなす開口角度βが、たとえば、４５度とされる。
【００３８】
ノズル２３０の上端には円環状のフランジ部２３２が形成され、フランジ部２３２に複数の挿通孔２３３が形成される。ノズル２３０は、外槽カバー２２の導入口２２ｂに下方から取り付けられる。このとき、フランジ部２３２の挿通孔２３３を通されたネジ（図示せず）が導入口２２ｂの周囲に止められる。ノズル２３０が、導入口２２ｂを介して排気ダクト２２０の下端部２２３に接続される。
【００３９】
ノズル２３０が外槽カバー２２に取り付けられた状態において、ノズル２３０の軸線方向Ｌは、鉛直方向と平行となる、よって、ノズル２３０の吹出口２３１は、鉛直方向から開口角度β、たとえば４５度を有して斜め下方向を向く。吹出口２３１の開口角度βが小さすぎると、即ち吹出口２３１の開口方向Ｄが真下に近すぎると、吹出口２３１から吹き出される温風の下方向へ勢いが強くなり過ぎ、洗濯物の上下の動きが悪くなる。一方、吹出口２３１の開口角度βが大きくなりすぎると、即ち、吹出口２３１の開口方向Ｄが水平方向に近すぎると、吹出口２３１から吹き出される温風の下方向へ勢いが弱くなり過ぎ、後述する洗濯物のしわ伸ばし効果が小さくなる。よって、吹出口２３１の開口角度βは、３０度から６０度の範囲に設定されるとよい。
【００４０】
さらに、図６に示すように、ノズル２３０は、洗濯脱水槽２４の上部において、バランスリング２５を避けるようにして、洗濯脱水槽２４の内壁面２４ａ寄りに配置される。そして、ノズル２３０の向きは、その吹出口２３１が、洗濯脱水槽２４を上方から見たときにパルセータ２６の中心Ｐに向かない方向に開口するように設定される。即ち、図６の右回り方向をパルセータ２６の正転方向Ａとし、図６の左回り方向をパルセータ２６の逆転方向Ｂとしたとき、吹出口２３１は逆転方向Ｂ側に向けられる。なお、吹出口２３１は正転方向Ａ側に向けられてもよい。また、吹出口２３１の向く先は、図６に斜線の楕円で示すように、パルセータ２６の中心Ｐから半分、即ち、図６に示す１／２Ｒの長さよりも外周側の領域となる。
【００４１】
次に、全自動洗濯乾燥機１の動作について説明する。
【００４２】
全自動洗濯乾燥機１では、各種運転コースの洗濯運転、洗濯乾燥運転または乾燥運転が行われる。洗濯運転は、洗濯のみを行う運転であり、洗い工程、中間脱水工程、すすぎ工程および最終脱水工程が順番に実行される。洗濯乾燥運転は、洗濯から乾燥までを連続的に行う運転であり、最終脱水工程に続いて乾燥工程が実行される。乾燥運転は、乾燥のみを行う運転であり、乾燥工程のみが実行される。
【００４３】
洗い工程およびすすぎ工程では、洗濯脱水槽２４内に水が溜められた状態で、パルセータ２６が正転方向Ａおよび逆転方向Ｂに回転する。パルセータ２６の回転により洗濯脱水槽２４内に水流が発生する。洗い工程では、発生した水流と水に含まれる洗剤とにより洗濯物が洗われる。すすぎ工程では、発生した水流により洗濯物がすすがれる。
【００４４】
中間脱水工程および最終脱水工程では、洗濯脱水槽２４およびパルセータ２６が一体となって高速回転する。洗濯脱水槽２４に発生する遠心力の作用により、洗濯物が脱水される。
【００４５】
乾燥工程では、乾燥装置５０において、送風機２０４および加熱器２０５が動作する。送風機２０４のファン２０４ａが回転すると、吸気口２１２から吸気ダクト２１０内に外部の空気が取り込まれ、吸気ダクト２１０を通過した空気が吸込口２０２ａ通じてケーシング２０１内のファン２０４ａに吸い込まれる。ファン２０４ａからは風が送出され、送出された風が加熱器２０５で加熱されて温風となる。温風は、吐出口２０２ｂから排出され、排気ダクト２２０を通ってノズル２３０へと至る。そして、温風は、ノズル２３０の吹出口２３１から洗濯脱水槽２４の底部あって、図６に示すパルセータ２６の外周側の領域に向かって勢い良く吹き出す。本実施の形態では、ノズル２３０の吹出口２３１から吹き出した直後の温風の流速、即ち初期の流速が、１００ｍ／ｓ程度となる。なお、初期の流速は、５０ｍ／ｓ以上、好ましくは、８０ｍ／ｓ以上とされるとよい。このように、吹出口２３１から吹き出す温風は、従来の乾燥工程において洗濯脱水槽２４内に吹き出す流速２０ｍ／ｓ程度の温風よりも大幅に勢いが強いものとなる。
【００４６】
洗濯脱水槽２４内では、パルセータ２６が正転方向Ａの回転と逆転方向Ｂの回転とを繰り返す。
【００４７】
図７（ａ）および（ｂ）は、本実施の形態に係る、乾燥工程における洗濯脱水槽２４内での洗濯物の動きを模式的に示す図である。図７（ａ）および（ｂ）では、パルセータ２６と、ノズル２３０と、洗濯物のみが描かれている。
【００４８】
パルセータ２６が回転すると、図７（ａ）のように、洗濯物は、パルセータ２６の羽根部１１０に押されながら、羽根部１１０の傾斜面１１２を滑り上がることにより、羽根部１１０の進行方向の上方に跳ね上げられる。パルセータ２６が正転方向Ａに回転する場合、ノズル２３０からの温風が、跳ね上げられた洗濯物が進む方向と反対方向から洗濯物に強く吹き付けられる。図７（ｂ）に示すように、洗濯物には進行方向への加速力と温風の吹付力とが相反する方向に働くため、これらの力によって洗濯物が水平方向に拡げられ、洗濯物のしわが伸ばされる。さらに、洗濯物は、当てられた温風によって乾かされる。パルセータ２６による撹拌時、洗濯物は、遠心力によってパルセータ２６の外周側に集まりやすいが、ノズル２３０の吹出口２３１の向く先がパルセータ２６の外周側の領域であるため、外周側で跳ね上げられた洗濯物に温風が当たりやすい。
【００４９】
本実施の形態では、パルセータ２６が正転方向Ａに回転したときに温風が有効に当たりやすい。よって、乾燥工程では、パルセータ２６の正転方向Ａへの回転の頻度が増やされると良い。
【００５０】
＜実施の形態の効果＞
以上、本実施の形態によれば、パルセータ２６の傾斜面１１２の作用によって上方に跳ね上げられた洗濯物にノズル２３０から温風が強く吹き付けられる構成とされているので、洗濯脱水槽２４内で洗濯物が拡がりやすく、乾燥時に洗濯物にしわが発生しにくくなる。
【００５１】
さらに、本実施の形態によれば、ノズル２３０の吹出口２３１の向く先がパルセータ２６の外周側の領域であるため、パルセータ２６が回転したときの遠心力でパルセータ２６の外周側に集まり外周側で跳ね上げられた洗濯物に吹出口２３１からの温風が当たりやすい。これにより、洗濯物のしわの発生がより低減されやすい。
【００５２】
以上、本発明の実施の形態について説明したが、本発明は、上記実施の形態等によって何ら制限されるものではなく、また、本発明の実施の形態も、上記以外に種々の変更が可能である。
【００５３】
＜変更例１＞
図８（ａ）および（ｂ）は、それぞれ、変更例１に係る、ノズル２４０の斜視図および側面図である。
【００５４】
上記実施の形態のノズル２３０に替えて、本変更例のノズル２４０を用いることもできる。本変更例のノズル２４０は、ノズル２４０の前方に向って緩やかに湾曲し、その先端部２４０ａが、ノズル２４０の前側と後側とが傾斜する先細り形状とされる。ノズル２４０の先端には、ノズル２４０の左右方向に延びる長方形のスリット状の吹出口２４１が形成される。本実施の形態のノズル２４０においても、その吹出口２４１の開口角度βが、３０度から６０度の範囲に設定されるとよい。
【００５５】
さらに、ノズル２４０の上端部には、円環状のフランジ部２４２が設けられる。ノズル２４０は、フランジ部２４２を用いて外槽カバー２２に取り付けられる。
【００５６】
＜変更例２＞
図９は、変更例２に係る、ノズル２４０と回動機構部２５０の斜視図である。
【００５７】
乾燥装置５０において、ノズル２４０を、このノズル２４０の軸線方向Ｌまわりに回転させる回動機構部２５０が備えられてもよい。なお、ノズル２４０に替えてノズル２３０が用いられてもよい。
【００５８】
回動機構部２５０は、ノズル２４０の上端部に、フランジ部２４２に替えて設けられたノズル側ギア２５１と、ノズル側ギア２５１に連結されるモータ側ギア２５２と、モータ側ギア２５２を回転させる駆動モータ２５３と、駆動モータ２５３が取り付けられるモータ取付部２５４とで構成される。
【００５９】
駆動モータ２５３のトルクによりモータ側ギア２５２が上方から見て右回り方向に回転すると、ノズル側ギア２５１が上方から見て左回り方向に回転し、ノズル２４０が左回り方向に回動する。また、駆動モータ２５３のトルクによりモータ側ギア２５２が上方から見て左回り方向に回転すると、ノズル側ギア２５１が上方から見て右回り方向に回転し、ノズル２４０が右回り方向に回動する。
【００６０】
なお、図９には示されないが、外槽カバー２２の導入口２２ｂの周囲に、下方に突出してノズル２４０の上部の内側に嵌る接続口部が形成され、その接続口部によってノズル２４０が回転自在に支持されるとよい。また、モータ取付部２５４は、外槽カバー２２に取り付けられるとよい。
【００６１】
図１０（ａ）および（ｂ）は、変更例２に係る、パルセータ２６の回転方向に応じてノズル２４０の向きが変えられる様子を示す図である。
【００６２】
乾燥工程において、図１０（ａ）に示すように、パルセータ２６が正転方向Ａに回転するとき、回動機構部２５０は、ノズル２４０を上方から見て右回り方向に回動させ、吹出口２４１が逆転方向Ｂ側に向くような第１の回動位置にノズル２４０を位置させる。これにより、パルセータ２６の正転方向Ａへの回転によって上方且つ正転方向Ａに跳ね上げられた洗濯物に吹出口２４１からの温風が良く当たる。
【００６３】
一方、乾燥工程において、図１０（ｂ）に示すように、パルセータ２６が逆転方向Ｂに回転するとき、回動機構部２５０は、ノズル２４０を上方から見て左回り方向に回動させ、吹出口２４１が正転方向Ａ側に向くような第２の回動位置にノズル２４０を位置させる。これにより、パルセータ２６の逆転方向Ｂへの回転によって上方且つ逆転方向Ｂに跳ね上げられ洗濯物に吹出口２４１からの温風が良く当たる。
【００６４】
このように、本変更例の構成によれば、パルセータ２６が正転方向Ａおよび逆転方向Ｂのどちらの方向に回転したときにも、パルセータ２６で跳ね上げられた洗濯物に良好に吹出口２４１からの温風を当てることができる。よって、洗濯物のしわ伸ばし効果を高めることができる。
【００６５】
＜変更例３＞
図１１は、変更例３に係る、パルセータ２７の斜視図である。
【００６６】
上記実施の形態のパルセータ２６に替えて、本変更例のパルセータ２７を用いることもできる。
【００６７】
パルセータ２７は、ほぼ円盤状のベース３００と、ベース３００の表面に１２０度の間隔を置いて形成された３枚の羽根部３１０とを含む。各羽根部３１０は、ベース３００の中心部３０１から外周縁に亘って放射状に延びる。各羽根部３１０には、直線的に水平方向に延びる頂上部３１１の両側に、洗濯物を上方に押し上げるための平坦な傾斜面３１２が形成される。パルセータ２７の回転軸方向Ｘに垂直な面に対する傾斜面３１２の傾斜角度αは、たとえば４５度とされる。ベース３００および羽根部３１０の表面には、多数の通水孔３２０が形成される。通水孔３２０は、パルセータ２７の裏側に水を通す。
【００６８】
なお、上記実施の形態のパルセータ２６と同様、３つの羽根部３１０の傾斜角度αは、３０度から６０度の範囲に設定されるとよい。
【００６９】
本変更例のパルセータ２７を用いた場合でも、上記実施の形態のパルセータ２６と同様、乾燥装置５０による乾燥の際、洗濯物を良く跳ね上げることができる。
【００７０】
＜その他の変更例＞
上記実施の形態では、外槽カバー２２の開口部２２ａよりも後側、即ち、洗濯脱水槽２４の上部の後側に、乾燥装置５０のノズル２３０が配置された。しかしながら、ノズル２３０の位置は、これに限定されるものではなく、適宜変更されてよい。たとえば、外槽カバー２２の開口部２２ａより前側にノズル２３０が配置されてもよい。
【００７１】
また、ノズル２３０、２４０やパルセータ２６、２７以外、種々の形状のノズルやパルセータが用いられてよい。
【００７２】
さらに、送風機２０４は、遠心ファン以外のファンでもよく、加熱器２０５は、ＰＴＣヒータ以外のヒータでもよい。
【００７３】
さらに、回動機構部２５０は、上記変更例２のようなギアと駆動モータを用いる機構以外の機構により構成されてもよい。
【００７４】
この他、本発明の実施の形態は、特許請求の範囲に示された技術的思想の範囲内において、適宜、種々の変更が可能である。
【符号の説明】
【００７５】
１  全自動洗濯乾燥機
２０  外槽
２４  洗濯脱水槽
２４ａ  内壁面
２６  パルセータ
５０  乾燥装置
１１２  傾斜面
２０４  送風機
２０５  加熱器
２３０  ノズル
２３１  吹出口
２５０  回動機構部
【図１】
2018068626.tif 000003
【図２】
2018068626.tif 000004
【図３】
2018068626.tif 000005
【図４】
2018068626.tif 000006
【図５】
2018068626.tif 000007
【図６】
2018068626.tif 000008
【図７】
2018068626.tif 000009
【図８】
2018068626.tif 000010
【図９】
2018068626.tif 000011
【図１０】
2018068626.tif 000012
【図１１】
2018068626.tif 000013